(57)【要約】【課題】  画像形成装置に設定する設定値の変更が容易なユーザインタフェースを提供する。【解決手段】  設定値に基づいてアプリケーションを実行する画像形成装置であって、前記設定値の入力に際して用いられる操作オブジェクトの画面上での表示状態を、ユーザの変更操作に応じて変更する変更手段と、変更後の前記表示状態を示す情報を登録する登録手段と、前記操作オブジェクトの表示を指示する表示指示が入力された場合に、該表示指示された操作オブジェクトを、登録された前記表示状態を示す情報に基づいて前記画面に表示する画面制御手段とを有する。【選択図】図１
2017085268.tif 000002
【特許請求の範囲】
【請求項１】
設定値に基づいてアプリケーションを実行する画像形成装置であって、
前記設定値の入力に際して用いられる第１操作オブジェクトの第１画面上での表示状態を、ユーザの変更操作に応じて変更する変更手段と、
変更後の前記表示状態を示す情報を登録する登録手段と、
前記第１操作オブジェクトの表示を指示する表示指示が入力された場合に、該表示指示された第１操作オブジェクトを、登録された前記表示状態を示す情報に基づいて前記第１画面に表示する第１画面制御手段と
を有することを特徴とする画像形成装置。
【請求項２】
前記表示状態を示す情報には、
前記設定値が入力される設定項目に対応する前記第１操作オブジェクトの前記第１画面上での並び順を示す情報が含まれることを特徴とする請求項１に記載の画像形成装置。
【請求項３】
前記表示状態を示す情報には、更に、
前記設定値が入力される設定項目に対応する前記第１操作オブジェクトの前記第１画面上での大きさ、色、形状のうちの少なくともいずれか１つが含まれることを特徴とする請求項２に記載の画像形成装置。
【請求項４】
前記登録手段により、変更後の前記並び順を示す情報に対応付けて登録される情報を設定する設定手段を更に有することを特徴とする請求項２に記載の画像形成装置。
【請求項５】
前記設定手段は、
前記表示指示を受け付ける第２操作オブジェクトと、該第２操作オブジェクトを表示する際にあわせて表示される文字情報と、を設定することを特徴とする請求項４に記載の画像形成装置。
【請求項６】
前記第２操作オブジェクトを、第２画面に選択可能に表示する第２画面制御手段を更に有し、
前記第２画面に表示された前記第２操作オブジェクトが前記表示指示を受け付けた場合に、前記第１画面制御手段は、前記表示指示された前記第１操作オブジェクトを、登録された前記並び順を示す情報に基づいて前記第１画面に表示することを特徴とする請求項５に記載の画像形成装置。
【請求項７】
前記設定手段は、
前記第２操作オブジェクトを前記第２画面に表示するか否かを、前記第２画面制御手段が判定する際に用いる情報を設定することを特徴とする請求項６に記載の画像形成装置。
【請求項８】
前記登録手段により登録された、変更後の前記並び順を示す情報のうちのいずれかを呼び出すための呼び出し手段を更に有し、
前記呼び出し手段により、変更後の前記並び順を示す情報のうちのいずれかが呼び出された場合に、前記第１画面制御手段は、前記第１操作オブジェクトの表示指示が入力されたと判定し、該表示指示された前記第１操作オブジェクトを、呼び出された前記並び順を示す情報に基づいて前記第１画面に表示することを特徴とする請求項２に記載の画像形成装置。
【請求項９】
前記変更手段は、更に、
前記第１画面制御手段により表示された前記第１操作オブジェクトの前記第１画面上での表示状態を、ユーザの変更操作に応じて変更することを特徴とする請求項１乃至８のいずれか１項に記載の画像形成装置。
【請求項１０】
前記登録手段により登録された、変更後の前記並び順を示す情報のうちのいずれかを選択して削除する削除手段を更に有することを特徴とする請求項１乃至９のいずれか１項に記載の画像形成装置。
【請求項１１】
前記登録手段は、更に、
前記第１操作オブジェクトを用いて入力された前記設定値を、
前記変更手段により変更された前記第１操作オブジェクトの前記第１画面上での並び順を示す第１の情報、または、
前記設定値の入力に際して用いられた前記第１操作オブジェクトを優先した前記第１画面上での並び順を示す第２の情報、
のいずれかと対応付けて登録することを特徴とする請求項４に記載の画像形成装置。
【請求項１２】
前記設定手段は、
前記第１操作オブジェクトを用いて入力された前記設定値を、前記並び順を示す第１の情報と前記並び順を示す第２の情報のいずれと対応付けて登録するかを設定することを特徴とする請求項１１に記載の画像形成装置。
【請求項１３】
設定値に基づいてアプリケーションを実行する画像形成装置と通信する操作端末であって、
前記設定値の入力に際して用いられる操作オブジェクトの画面上での表示状態を、ユーザの変更操作に応じて変更する変更手段と、
変更後の前記表示状態を示す情報を登録する登録手段と、
前記操作オブジェクトの表示を指示する表示指示が入力された場合に、該表示指示された操作オブジェクトを、登録された前記表示状態を示す情報に基づいて前記画面に表示する画面制御手段と
を有することを特徴とする操作端末。
【請求項１４】
設定値に基づいてアプリケーションを実行する画像形成装置と通信する表示端末であって、
前記設定値の入力に際して用いられる操作オブジェクトの画面上での表示状態を変更する、変更操作を受け付ける受付手段と、
変更後の前記表示状態を示す情報を登録する登録指示を入力する入力手段と、
前記操作オブジェクトの表示を指示する表示指示が入力された場合に、前記画像形成装置に通知し、該表示指示された操作オブジェクトを、登録された前記表示状態を示す情報に基づいて表示するための前記画面を前記画像形成装置から受信して表示する表示手段と、
を有することを特徴とする表示端末。
【請求項１５】
設定値に基づいてアプリケーションを実行する画像形成システムであって、
前記設定値の入力に際して用いられる操作オブジェクトの画面上での表示状態を、ユーザの変更操作に応じて変更する変更手段と、
変更後の前記表示状態を示す情報を登録する登録手段と、
前記操作オブジェクトの表示を指示する表示指示が入力された場合に、該表示指示された操作オブジェクトを、登録された前記表示状態を示す情報に基づいて前記画面に表示する画面制御手段と
を有することを特徴とする画像形成システム。
【請求項１６】
設定値に基づいてアプリケーションを実行する画像形成装置のコンピュータに、
前記設定値の入力に際して用いられる操作オブジェクトの画面上での表示状態を、ユーザの変更操作に応じて変更する変更工程と、
変更後の前記表示状態を示す情報を登録する登録工程と、
前記操作オブジェクトの表示を指示する表示指示が入力された場合に、該表示指示された操作オブジェクトを、登録された前記表示状態を示す情報に基づいて前記画面に表示する画面制御工程と
をコンピュータに実行させるためのプログラム。
【発明の詳細な説明】
【技術分野】
【０００１】
本発明は、画像形成装置、操作端末、表示端末、画像形成システム及びプログラムに関する。
【背景技術】
【０００２】
ＭＦＰ（Multi-function Peripheral）等の画像形成装置においては、操作性の高いユーザインタフェースを提供することが求められており、従来より様々な提案がなされている。
【０００３】
例えば、下記特許文献１では、アプリケーションの１つであるコピー機能の利用に際して、使用頻度の高い設定値を予め登録しておき、当該設定値を呼び出すアイコンをホーム画面上に表示する構成が提案されている。当該構成によれば、ユーザは、ホーム画面上のアイコンをタップ操作するだけで、登録された設定値のもとでコピー機能を利用することができる。
【発明の概要】
【発明が解決しようとする課題】
【０００４】
一方で、画像形成装置を利用するユーザの中には、例えば、ページごとに異なる部数を設定しながらコピーを行う等のように、特定の設定項目について設定値を変更しながら利用するユーザもいる。このようなユーザにとっては、変更頻度の高い設定項目について、設定値の変更がしやすいユーザインタフェースが提供されることが望ましい。
【０００５】
本発明は上記課題に鑑みてなされたものであり、画像形成装置に設定される設定値の変更が容易なユーザインタフェースを提供することを目的とする。
【課題を解決するための手段】
【０００６】
本発明の各実施形態に係る画像形成装置は、以下のような構成を有する。すなわち、
設定値に基づいてアプリケーションを実行する画像形成装置であって、
前記設定値の入力に際して用いられる第１操作オブジェクトの第１画面上での表示状態を、ユーザの変更操作に応じて変更する変更手段と、
変更後の前記表示状態を示す情報を登録する登録手段と、
前記第１操作オブジェクトの表示を指示する表示指示が入力された場合に、該表示指示された第１操作オブジェクトを、登録された前記表示状態を示す情報に基づいて前記第１画面に表示する第１画面制御手段とを有する。
【発明の効果】
【０００７】
本発明の各実施形態によれば、画像形成装置に設定する設定値の変更が容易なユーザインタフェースを提供することが可能となる。
【図面の簡単な説明】
【０００８】
【図１】画像形成システムの外観構成及び表示部の表示例を示す図である。
【図２】画像形成システムのハードウェア構成の一例を示す図である。
【図３】画像形成システムに含まれるプログラム群の階層構造の一例を示す図である。
【図４】操作端末のユーザインタフェースに関する処理の概要を説明するための図である。
【図５】操作端末の機能構成の一例を示す図である。
【図６】認証テーブルの一例を示す図である。
【図７】ＩＤテーブルの一例を示す図である。
【図８】登録テーブルの一例を示す図である。
【図９】認証処理の流れを示すフローチャートである。
【図１０】ホーム画面制御処理の流れを示すフローチャートである。
【図１１】コピー画面制御処理の流れを示すフローチャートである。
【図１２】コピー画面制御処理における画面遷移の一例を示す図である。
【図１３】メニュー画面の一例を示す図である。
【図１４】メニュー処理の流れを示すフローチャートである。
【図１５】並び順登録処理の流れを示すフローチャートである。
【図１６】並び順登録処理における画面遷移の一例を示す図である。
【図１７】並び順登録処理後のホーム画面の一例を示す図である。
【図１８】設定値登録処理の流れを示すフローチャートである。
【図１９】設定値登録処理における画面遷移の一例を示す図である。
【図２０】設定値登録処理後のホーム画面の一例を示す図である。
【図２１】登録内容修正処理の流れを示すフローチャートである。
【図２２】登録内容修正処理における画面遷移の一例を示す図である。
【図２３】呼び出し処理の流れを示すフローチャートである。
【図２４】呼び出し処理における画面遷移の一例を示す図である。
【発明を実施するための形態】
【０００９】
以下、本発明の各実施形態について添付の図面を参照しながら説明する。なお、各実施形態に係る明細書及び図面の記載に際して、実質的に同一の機能構成を有する構成要素については、同一の符号を付することにより重複した説明を省く。
【００１０】
［第１の実施形態］
＜１．画像形成システムの外観構成及び表示部の表示内容の説明＞
はじめに、本実施形態に係る画像形成システムの外観構成及び表示部の表示内容について説明する。図１は、画像形成システムの外観構成及び表示部の表示例を示す図である。
【００１１】
図１に示すように、画像形成システム１００は、操作端末１１０と画像形成装置本体１２０とを有する。本実施形態において、操作端末１１０は、画像形成装置本体１２０に対して着脱可能に構成されており、画像形成装置本体１２０から取り外した状態でも、画像形成装置本体１２０に対して各種指示を送信することができる。また、操作端末１１０は、画像形成装置本体１２０から取り外した状態でも、画像形成装置本体１２０から各種情報を受信することができる。
【００１２】
操作端末１１０は操作パネル上に表示部１１１を有する。表示部１１１には、画像形成装置本体１２０が有する各種機能を実現するアプリケーションを実行させるためのホーム画面１３１が表示される。本実施形態において、画像形成装置本体１２０が有する各種機能には、コピー機能、スキャン機能、ファクス機能、プリンタ機能が含まれる。このため、ホーム画面１３１には、これらの機能を実現するアプリケーションを画像形成装置本体１２０に実行させるための各種アイコンが表示される。図１の例では、コピー用のアイコン１４１、スキャン用のアイコン１４２、ファクス用のアイコン１４３、プリンタ用のアイコン１４４が表示されている。
【００１３】
ホーム画面１３１において、いずれかのアイコンをタップ操作すると、タップ操作されたアイコンに対応付けられたアプリケーションを実行する際に用いられる設定値を入力するための設定画面が表示される。
【００１４】
設定画面１５１〜１５４は、それぞれ、コピー用のアイコン１４１〜プリンタ用のアイコン１４４をタップ操作したときに表示される設定画面の一例を示している。コピー用のアイコン１４１をタップ操作することで表示される設定画面１５１には、コピー用の設定値を入力する際に操作される操作オブジェクトである「タイル」が、設定項目ごとに表示される。
【００１５】
図１の設定画面１５１の場合、設定項目に対応するタイルとして、少なくとも"色"、"変倍"、"部数"、"濃度"、"トレイ"、"ステープル"、"パンチ"、"ソート／スタック"のタイルが表示されている。タイル群１６１に含まれるこれらのタイルのうちのいずれかのタイルがタップ操作されると、タップ操作されたタイルに対応する設定項目について、設定値を入力するための詳細設定画面（詳細は後述）が表示される。
【００１６】
なお、設定画面１５１に示すように、タイル群１６１に含まれる各タイルには、詳細設定画面において設定された設定値が、設定項目とともに表示される。これにより、ユーザは、設定画面１５１から詳細設定画面へと遷移させなくても、各タイルに対応する設定項目に、どのような設定値が設定されているかを視認することができる。
【００１７】
なお、図１の例では、コピー用のアイコン１４１をタップ操作した場合に表示される設定画面１５１について示したが、スキャン用のアイコン１４２〜プリンタ用のアイコン１４４をそれぞれタップ操作した場合の設定画面１５２〜１５４についても同様である。
【００１８】
＜２．画像形成システムのハードウェア構成＞
次に、画像形成システム１００のハードウェア構成について説明する。図２は、画像形成システム１００のハードウェア構成の一例を示す図である。
【００１９】
図２に示すように、画像形成システム１００の操作端末１１０は、ＣＰＵ（Central Processing Unit）２０１、ＲＯＭ（Read Only Memory）２０２、及びＲＡＭ（Random Access Memory）２０３を有する。また、操作端末１１０は、フラッシュメモリ２０４、操作パネル２０５、接続Ｉ／Ｆ２０６、及び通信Ｉ／Ｆ２０７を有する。なお、これらの各ハードウェアは、バス２０８を介して相互に接続されている。
【００２０】
ＣＰＵ２０１は、ＲＡＭ２０３をワークエリアとしてＲＯＭ２０２またはフラッシュメモリ２０４に記憶された各種プログラムを実行することで、操作端末１１０全体を制御するコンピュータである。
【００２１】
ＲＯＭ２０２は、電源を切ってもデータを保持することができる不揮発性の半導体メモリ（記憶装置）である。ＲＡＭ２０３は、プログラムやデータを一時保存する揮発性の半導体メモリ（記憶装置）である。
【００２２】
フラッシュメモリ２０４は、不揮発性の記憶媒体であり、ＣＰＵ２０１が実行する各種プログラムや各種データを記憶する。
【００２３】
操作パネル２０５は、タッチパネル等の表示部１１１を含み、ユーザが各種操作を行う際に用いられる。また、操作パネル２０５の表示部１１１は、各種情報を表示する。例えば、操作パネル２０５の表示部１１１は、画像形成装置本体１２０が有する各種機能に対してユーザが各種操作を行うためのＧＵＩ（Graphical User Interface）表示画面を表示する。あるいは、操作パネル２０５の表示部１１１は、画像形成装置本体１２０の処理結果等の情報（エラーメッセージやガイダンスメッセージ等）を表示する。
【００２４】
接続Ｉ／Ｆ２０６は、通信路２２０を介して画像形成装置本体１２０と通信するためのインタフェースである。接続Ｉ／Ｆ２０６には、例えば、ＵＳＢ（Universal Serial Bus）規格のインタフェースが用いられる。
【００２５】
通信Ｉ／Ｆ２０７は、他の機器等と通信するためのインタフェースである。通信Ｉ／Ｆ２０７には、例えば、Ｗｉ−Ｆｉ規格の無線ＬＡＮ用のインタフェースが用いられる。
【００２６】
画像形成システム１００の画像形成装置本体１２０は、ＣＰＵ２１１、ＲＯＭ２１２、及びＲＡＭ２１３を有する。また、画像形成装置本体１２０は、ＨＤＤ（Hard Disk Drive）２１４、画像処理エンジン部２１５、接続Ｉ／Ｆ２１６、及び通信Ｉ／Ｆ２１７を有する。なお、これらの各ハードウェアは、バス２１８を介して相互に接続されている。
【００２７】
ＣＰＵ２１１は、ＲＡＭ２１３をワークエリアとしてＲＯＭ２１２又はＨＤＤ２１４に記憶された各種プログラムを実行することで、画像形成装置本体１２０全体を制御するコンピュータである。
【００２８】
ＲＯＭ２１２は、電源を切ってもデータを保持することができる不揮発性の半導体メモリ（記憶装置）である。ＲＡＭ２１３は、プログラムやデータを一時保存する揮発性の半導体メモリ（記憶装置）である。
【００２９】
ＨＤＤ２１４は、不揮発性の記憶媒体であり、ＣＰＵ２１１が実行する各種プログラムや各種データを記憶する。
【００３０】
画像処理エンジン部２１５は、コピー機能、スキャン機能、ファクス機能、及びプリンタ機能等の各種機能を実現するための画像処理を行うハードウェアである。
【００３１】
画像処理エンジン部２１５には、例えば、原稿を光学的に読み取って画像データを生成するスキャナ、用紙等のシート材への印刷を行うプロッタ、及びファクス通信を行うファクス通信装置等が含まれる。また、画像処理エンジン部２１５には、例えば、印刷済みのシート材を仕分けるフィニッシャや、原稿を自動給送するＡＤＦ（自動原稿給送装置）等が含まれていてもよい。
【００３２】
接続Ｉ／Ｆ２１６は、通信路２２０を介して操作端末１１０と通信するためのインタフェースである。接続Ｉ／Ｆ２１６には、例えば、ＵＳＢ規格のインタフェースが用いられる。
【００３３】
通信Ｉ／Ｆ２１７は、他の機器等と通信するためのインタフェースである。通信Ｉ／Ｆ２１７には、例えば、Ｗｉ−Ｆｉ規格の無線ＬＡＮ用のインタフェースが用いられる。
【００３４】
画像形成システム１００は、上記ハードウェア構成を有することにより、後述する各種処理を実現することができる。
【００３５】
なお、図２では、画像形成システム１００が画像形成装置本体１２０用の操作端末１１０を有する構成を一例として示したが、これに限定されない。操作端末１１０は、例えば、タブレット端末、スマートフォン、携帯電話、ＰＤＡ等の情報処理端末であってもよい。すなわち、これらの情報処理端末が、操作端末１１０の通信Ｉ／Ｆ２０７または画像形成装置本体１２０の通信Ｉ／Ｆ２１７を介して画像形成システム１００と通信することで、画像形成装置本体１２０を制御する構成であってもよい。
【００３６】
＜３．画像形成システムに含まれるプログラム群の階層構造の説明＞
次に、画像形成システム１００に含まれるプログラム群の階層構造について説明する。図３は、画像形成システム１００に含まれるプログラム群の階層構造の一例を示す図である。
【００３７】
操作端末１１０に含まれるプログラム群は、ＲＯＭ２０２、フラッシュメモリ２０４等に格納されている。画像形成装置本体１２０に含まれるプログラム群は、ＲＯＭ２１２、ＨＤＤ２１４等に格納されている。
【００３８】
はじめに、画像形成装置本体１２０に含まれるプログラム群の階層構造について説明する。画像形成装置本体１２０に含まれるプログラム群は、アプリケーション層３１１、サービス層３１２、及びＯＳ（Operating System）層３１３に大別することができる。
【００３９】
アプリケーション層３１１に区分されるプログラムは、ハードウェア資源を動作させて各種機能を実現させるためのプログラムである。具体的には、コピー用のアプリケーション、スキャン用のアプリケーション、ファクス用のアプリケーション、及びプリンタ用のアプリケーション等が挙げられる。
【００４０】
サービス層３１２に区分されるプログラムは、アプリケーション層３１１とＯＳ層３１３との間に介在するプログラムである。当該プログラムは、画像形成装置本体１２０が備えるハードウェア資源を、アプリケーション層３１１のプログラムが利用したり、画像形成装置本体１２０が備えるハードウェア資源の状態を通知したりするインタフェースとしての役割を果たす。
【００４１】
具体的には、ハードウェア資源に対する動作要求を受け付けたり、受け付けた動作要求の調停を行ったりする。また、ハードウェア資源において検出されたエラーを、エラー情報として送信したりする。尚、サービス層３１２が受け付ける動作要求には、例えば、画像処理エンジン部２１５による画像処理の動作要求（スキャナによる読み取り動作要求やプロッタによる印刷動作要求等）が含まれる。
【００４２】
尚、サービス層３１２に区分されるプログラムが果たすインタフェースとしての役割は、操作端末１１０のアプリケーション層３０１に対しても同様である。すなわち、操作端末１１０のアプリケーション層３０１に区分されるプログラムも、サービス層３１２にアクセスすることにより、画像形成装置本体１２０のハードウェア資源を動作させて、各種機能を実現させることができる。
【００４３】
ＯＳ層３１３に区分されるプログラムは、基本ソフトウェアと呼ばれるプログラムであり、画像形成装置本体１２０が有するハードウェア資源を制御する基本機能を提供する。ＯＳ層３１３に区分されるプログラムは、アプリケーション層３１１に区分されるプログラムからのハードウェア資源に対する動作要求を、サービス層３１２に区分されるプログラムを介して受け付けて、当該動作要求に応じた処理を実行する。また、ＯＳ層３１３に区分されるプログラムが実行されることにより、ハードウェア資源において検出されたエラーを受信し、エラー情報としてサービス層３１２に渡す。
【００４４】
次に、操作端末１１０に含まれるプログラム群の階層構造について説明する。画像形成装置本体１２０と同様に、操作端末１１０に含まれるプログラム群も、アプリケーション層３０１、サービス層３０２、及びＯＳ層３０３に大別することができる。
【００４５】
ただし、アプリケーション層３０１に区分されるプログラムが提供する機能や、サービス層３０２が受け付け可能な動作要求の種類は、画像形成装置本体１２０とは異なる。操作端末１１０のアプリケーション層３０１に区分されるプログラムは、主として、各種操作や表示を行うためのユーザインタフェースを提供する。
【００４６】
なお、本実施形態では、操作端末１１０と画像形成装置本体１２０とで、ＯＳは独立して動作するものとする。また、操作端末１１０と画像形成装置本体１２０とが相互に通信可能であれば、ＯＳが同じ種類である必要はない。例えば、操作端末１１０ではＯＳにＡｎｄｒｏｉｄ（登録商標）を用いる一方で、画像形成装置本体１２０ではＯＳにＬｉｎｕｘ（登録商標）を用いることも可能である。
【００４７】
このように、画像形成システム１００では、操作端末１１０と画像形成装置本体１２０が異なるＯＳにより制御される。このため、操作端末１１０と画像形成装置本体１２０との間の通信は、一装置内のプロセス間通信ではなく、異なる情報処理装置間の通信として行われる。例えば、操作端末１１０が受け付けたユーザの各種操作を示す操作情報を画像形成装置本体１２０へ送信する動作や、画像形成装置本体１２０が操作端末１１０へ表示画面の表示を指示する表示要求を送信する動作が、これに該当する。
【００４８】
ただし、画像形成システム１００は、操作端末１１０と画像形成装置本体１２０とで異なる種類のＯＳが動作する場合に限られず、操作端末１１０と画像形成装置本体１２０とで同一種類のＯＳが動作していてもよい。また、画像形成システム１００は、操作端末１１０と画像形成装置本体１２０とでＯＳを独立して動作させる場合に限られず、操作端末１１０及び画像形成装置本体１２０上で一のＯＳを動作させてもよい。
【００４９】
＜４．操作端末のユーザインタフェースに関する処理の概要＞
次に、操作端末１１０が提供するユーザインタフェースに関する処理の概要について説明する。図４は、操作端末１１０のユーザインタフェースに関する処理の概要を説明するための図である。図４に示すように、認証機能４０１によりユーザの認証処理が行われ、認証に成功するとホーム画面１３１が表示部１１１に表示される。このとき、ホーム画面１３１にデフォルトで表示されるアイコン以外の表示対象（デフォルトで表示されるアイコン以外に表示すべきアイコン）及び表示内容（アイコンを表示する際にあわせて表示される文字情報）は、登録情報４１０に基づいて決定される。デフォルトで表示されるアイコンとは、図１の例では、コピー用のアイコン１４１、スキャン用のアイコン１４２、ファクス用のアイコン１４３、プリンタ用のアイコン１４４である。なお、図１の例では、デフォルトで表示されるアイコン以外のアイコンは表示されていない。
【００５０】
ホーム画面１３１に表示されたアイコンがタップ操作されると設定画面（ここでは、設定画面１５１）が表示される。このとき、設定画面１５１に表示されるタイル群１６１の表示状態（例えば、並び順）や表示内容（例えば、設定値）は、表示状態を登録する登録情報４１０に基づいて決定される。
【００５１】
なお、本実施形態の操作端末１１０の場合、ユーザは、設定画面１５１において変更操作を行うことで、タイル群１６１の表示状態（例えば、タイルの並び順）を変更することができる。
【００５２】
また、ユーザは変更後の表示状態を示す情報を、並び順登録機能４１１を介して、登録情報４１０に登録することができる。
【００５３】
また、いずれかのタイルをタップ操作し、詳細設定画面を表示させることで設定値を入力した場合、ユーザは設定値登録機能４１２を介して、当該設定値を登録情報４１０に登録することができる。なお、このとき、設定値は、表示状態を示す情報（例えば、タイルの並び順）と対応付けて登録されるものとする。
【００５４】
また、ユーザは、登録情報４１０に登録した登録内容を、修正機能４１３を介して修正することができる。具体的には、修正機能４１３を用いることで、登録情報４１０に登録された登録内容を削除したり、登録内容に含まれる情報を修正したりすることができる。
【００５５】
更に、ユーザは、登録情報４１０に登録された登録内容を、呼び出し機能４１４を介して呼び出すことができる。これにより、登録された表示状態を示す情報に基づいてタイル群１６１を設定画面１５１に表示することができる。
【００５６】
なお、以下の説明では、タイル群１６１の"表示状態を示す情報"が、タイル群１６１の"並び順を示す情報"を指すものとして説明する。また、登録情報４１０は、コピー機能、スキャン機能、ファクス機能、プリンタ機能ごとにわけて登録テーブルにより管理されているものとして説明する（つまり、登録情報４１０は複数の登録テーブル（登録テーブル群）から構成されているものとして説明する）。
【００５７】
更に、登録テーブルに登録する登録内容のうち、"並び順を示す情報"及び"設定値"を第１の登録内容と称し、"並び順を示す情報"及び"設定値"に対応付けて登録された各種情報を第２の登録内容と称することとする。
【００５８】
＜５．操作端末の機能構成＞
次に、操作端末１１０の機能構成について説明する。操作端末１１０には、ＵＩ（User Interface）制御プログラムがインストールされており、当該ＵＩ制御プログラムが実行されることで、操作端末１１０は、ＵＩ制御部として機能する。
【００５９】
図５は、ＵＩ制御部として機能する操作端末の機能構成の一例を示す図である。図５に示すように、ＵＩ制御部５００は、認証部５１０、ホーム画面制御部５２０、コピー画面制御部５３０、スキャン画面制御部５４０、ファクス画面制御部５５０、プリンタ画面制御部５６０を有する。
【００６０】
認証部５１０は、認証機能４０１を実現する機能部である。具体的には、認証部５１０は、画像形成システム１００が起動する際、あるいは画像形成システム１００が省電力モードから通常モードに切り替わる際に表示部１１１に認証画面を表示する。また、認証部５１０は、表示した認証画面に対してユーザにより入力された認証情報（例えば、ユーザ名、ユーザＩＤ（Identification））を、認証情報登録部５７０に格納された認証テーブル５７１と比較することで、認証処理を行う。更に、認証部５１０は、認証処理の結果、認証に成功したと判定すると、ホーム画面制御部５２０に対して、認証に成功した旨を通知し、認証情報を送信する。
【００６１】
ホーム画面制御部５２０は、第２画面制御手段の一例である表示制御部５２１と画面遷移制御部５２２とを有する。
【００６２】
表示制御部５２１は、認証部５１０より、認証に成功した旨の通知を受信した場合に起動する。表示制御部５２１は、デフォルトで表示されるアイコンを、第２画面の一例であるホーム画面１３１に表示する。また、表示制御部５２１は、登録情報４１０（登録テーブル群５９０）を参照する。これにより、表示制御部５２１は、ホーム画面１３１に表示する表示対象（デフォルトで表示されるアイコン以外に表示すべきアイコン）及び表示内容（当該アイコンを表示する際にあわせて表示される文字情報）を決定する。また、表示制御部５２１は、決定した表示対象及び表示内容に基づいてホーム画面１３１を表示する。これにより、第２操作オブジェクトの一例であるアイコンをホーム画面１３１に表示することができる。
【００６３】
画面遷移制御部５２２は、ホーム画面１３１上に表示されたアイコン（例えば、１４１〜１４４）のいずれかがタップ操作されたことを検知する。また、画面遷移制御部５２２は、タップ操作されたアイコンに対応する画面制御部（コピー画面制御部５３０〜プリンタ画面制御部５６０のいずれか）に対して起動を指示する。
【００６４】
また、ホーム画面制御部５２０の画面遷移制御部５２２は、いずれかの画面制御部（コピー画面制御部５３０〜プリンタ画面制御部５６０のいずれか）より、ホーム画面に戻る指示を受け取った場合、表示制御部５２１に通知する。この場合も、表示制御部５２１では、デフォルトで表示されるアイコンをホーム画面１３１に表示するとともに、登録情報４１０（画面情報登録部５８０の登録テーブル群５９０）を参照し、ホーム画面１３１に更に表示すべき表示対象及び表示内容を決定する。また、表示制御部５２１は、決定した表示対象及び表示内容に基づいてホーム画面１３１を表示する。
【００６５】
コピー画面制御部５３０は、第１画面制御手段の一例である表示制御部５３１、画面遷移制御部５３２、状態変更部５３３、設定値入力部５３４、実行指示部５３５、並び順登録部５３６、設定値登録部５３７、修正部５３８、呼び出し部５３９を有する。
【００６６】
表示制御部５３１は、アイコン１４１がタップ操作されて、ホーム画面制御部５２０より起動指示を受け取ると、第１操作オブジェクトの一例であるタイルを複数含むタイル群１６１を、第１画面の一例である設定画面１５１に表示する。表示制御部５３１は、タイル群１６１を設定画面１５１に表示するにあたり、登録情報４１０のうちのコピー用の登録テーブル５９１を参照する。また、表示制御部５３１は、登録テーブル５９１より、タイル群１６１に含まれる各タイルの並び順を示す情報と、各タイルに対応付けられた設定値とを読み出す。表示制御部５３１は、読み出した並び順を示す情報及び設定値（第１の登録内容）に基づいてタイル群１６１を設定画面１５１に表示する。
【００６７】
画面遷移制御部５３２は、ユーザによる画面遷移操作を受け付ける。ここでいう画面遷移操作には、例えば、ホーム画面１３１に戻るための戻る指示や、タイル群１６１に含まれるタイルのいずれかをタップ操作して、詳細設定画面（詳細は後述）に遷移するための操作等が含まれる。
【００６８】
状態変更部５３３は、変更手段の一例である。状態変更部５３３は、タイル群１６１が表示された設定画面１５１においてタイルの並び順を変更する変更操作を受け付ける。また、状態変更部５３３は、受け付けた変更操作に応じてタイルの並び順を変更する。
【００６９】
設定値入力部５３４は、画面遷移制御部５３２がいずれかのタイルに対するタップ操作を受け付けて、タップ操作されたタイルに対応する設定項目を設定する詳細設定画面に遷移した場合に、設定値の入力を受け付ける。なお、設定値入力部５３４を介して入力された設定値は、タイルと対応付けて保持され、コピー用のアプリケーションを画像形成装置本体１２０が実行する際に用いられる。
【００７０】
実行指示部５３５は、ユーザからの実行指示を受け付けた場合に、画像形成装置本体１２０に対して、コピー用のアプリケーションの実行を指示する。実行指示部５３５では、コピー用のアプリケーションの実行を指示するにあたり、現在、タイルと対応付けて保持されている設定値を画像形成装置本体１２０に対して送信する。
【００７１】
並び順登録部５３６は、登録手段の一例であり、並び順登録機能４１１を実現する機能部である。並び順登録部５３６は、設定画面１５１に表示されたタイル群１６１の各タイルの並び順が状態変更部５３３により変更された場合に、変更後の各タイルの並び順を示す情報を登録テーブル５９１に登録する。
【００７２】
なお、並び順登録部５３６は、並び順を示す情報を登録テーブル５９１に登録するにあたり、並び順を示す情報に対応付けて登録可能な各種情報である第２の登録内容を設定する。つまり、並び順登録部５３６は、設定手段の一例でもある。
【００７３】
例えば、並び順登録部５３６は、第２の登録内容として、並び順を示す情報に対応付けて登録するアイコンを設定することができる。
【００７４】
また、並び順登録部５３６は、第２の登録内容として、アイコンを表示する際にあわせて表示される文字情報（登録名）を設定することができる。更に、並び順登録部５３６は、第２の登録内容として、アイコンをホーム画面１３１に表示するか否かを指定するための情報を設定することができる。
【００７５】
設定値登録部５３７は、登録手段の一例であり、設定値登録機能４１２を実現する機能部である。設定値登録部５３７は、設定値入力部５３４を介して入力された設定値を、登録テーブル５９１に登録する。なお、設定値登録部５３７は、登録時に設定画面１５１に表示されているタイル群１６１の各タイルの並び順を示す情報と対応付けて、各タイルの設定値を登録テーブル５９１に登録することができる。
【００７６】
なお、設定値登録部５３７も、設定値を登録テーブル５９１に登録するにあたり、並び順登録部５３６と同様に、設定値に対応付けて登録可能な第２の登録内容を設定することができる。つまり、設定値登録部５３７も、並び順登録部５３６と同様、設定手段の一例である。
【００７７】
修正部５３８は、削除手段の一例であり、修正機能４１３を実現する機能部である。修正部５３８は、並び順を示す情報と対応付けて登録テーブル５９１に登録された第２の登録内容を修正したり、登録テーブル５９１に登録された登録内容自体を削除したりする。
【００７８】
呼び出し部５３９は、呼び出し手段の一例であり、呼び出し機能４１４を実現する機能部である。呼び出し部５３９は、登録テーブル５９１に登録された登録内容のうちのいずれかを選択する。また、呼び出し部５３９は、選択した登録内容を表示制御部５３１に通知する。これにより、表示制御部５３１では、通知された登録内容に基づいて、タイル群１６１を設定画面１５１に表示することができる。
【００７９】
なお、並び順登録機能４１１、設定値登録機能４１２、修正機能４１３、呼び出し機能４１４を実現するにあたり、コピー画面制御部５３０は、画面情報登録部５８０のＩＤテーブル５８１を参照する。これにより、登録テーブル５９１に登録される情報を、ＩＤテーブル５８１に登録されたＩＤを用いて管理することができる。
【００８０】
なお、スキャン画面制御部５４０、ファクス画面制御部５５０、プリンタ画面制御部５６０の各部の機能は、コピー画面制御部５３０の機能と概ね同じであるため、ここでは説明を省略する。以下、説明の簡略化のため、ＵＩ制御部５００が有する画面制御部について説明する場合には、主にコピー画面制御部５３０について説明する。
【００８１】
＜６．各種テーブルの説明＞
次に、操作端末１１０の各登録部（認証情報登録部５７０、画面情報登録部５８０）に格納される各種テーブル（認証テーブル５７１、ＩＤテーブル５８１、登録テーブル５９１の詳細について説明する。
【００８２】
＜６．１  認証テーブルの説明＞
はじめに、認証情報登録部５７０に格納された認証テーブル５７１について説明する。図６は、認証テーブルの一例を示す図である。図６に示すように、認証テーブル５７１は、情報の項目として"ユーザＩＤ"と"ユーザ名"とを含む。
【００８３】
"ユーザＩＤ"には、ユーザを識別するための固有の識別子が登録される。"ユーザ名"には、ユーザの名称が登録される。"ユーザＩＤ"及び"ユーザ名"は、例えば、画像形成システム１００の管理者により予め登録されるものとする。認証部５１０は、認証画面に入力されたユーザＩＤとユーザ名との組み合わせが、認証テーブル５７１に予め登録されているユーザＩＤとユーザ名との組み合わせのいずれかに合致した場合に、認証成功と判定する。
【００８４】
＜６．２  ＩＤテーブルの説明＞
（１）アイコンＩＤテーブルの説明
次に、画面情報登録部５８０のＩＤテーブル５８１に含まれるアイコンＩＤテーブルについて説明する。図７（ａ）は、アイコンＩＤテーブルの一例を示す図である。図７（ａ）に示すように、アイコンＩＤテーブル５８１＿１は、情報の項目として、"アイコンＩＤ"と"アイコン"とを含む。
【００８５】
"アイコンＩＤ"には、アイコンを識別するための識別子が格納される。"アイコン"には、それぞれのアイコンＩＤに対応付けられたアイコン（画像）が格納される。なお、登録テーブル群５９０には、アイコンＩＤが登録される。
【００８６】
（２）タイルＩＤテーブルの説明
次に、画面情報登録部５８０のＩＤテーブル５８１に含まれるタイルＩＤテーブルについて説明する。図７（ｂ）は、タイルＩＤテーブルの一例を示す図である。図７（ｂ）に示すように、タイルＩＤテーブル５８１＿２は、情報の項目として、"タイルＩＤ"と"タイル名"とを含む。
【００８７】
"タイルＩＤ"には、設定画面１５１に表示される、設定項目に対応するタイルを識別するための識別子が格納される。"タイル"には、設定画面１５１に表示される、設定項目に対応するタイルの名称が格納される。なお、登録テーブル群５９０では、タイルの並び順等が、タイルＩＤを用いて管理される。
【００８８】
＜６．３  登録テーブルの説明＞
次に、画面情報登録部５８０の登録テーブル群５９０のうち、コピー用の登録テーブル５９１について説明する。図８は、コピー用の登録テーブルの一例を示す図である。図８に示すように、登録テーブル５９１は、情報の項目として、"登録ＩＤ"、"登録名"、"アイコンＩＤ"、"ユーザＩＤ"、"ホーム画面への表示"、"タイル並び順"、"設定値"が含まれる。
【００８９】
"登録ＩＤ"には、登録テーブル５９１に登録された複数の登録内容を識別するための識別子が格納される。並び順登録部５３６または設定値登録部５３７により新たに登録内容が登録されるごとに、登録ＩＤが付与される。なお、修正部５３８により登録内容が削除された場合には、登録ＩＤもあわせて削除される。
【００９０】
"登録名"には、登録テーブル５９１に登録されたそれぞれの登録内容を表す文字情報が登録される。"登録名"に登録される文字情報は、並び順登録部５３６または設定値登録部５３７が、並び順を示す情報を登録する際に、ユーザにより入力される。なお、"登録名"に登録された文字情報は、アイコンを表示する際にあわせて表示される。
【００９１】
"アイコンＩＤ"には、登録テーブル５９１に登録された、並び順を示す情報に対応するアイコンのアイコンＩＤが登録される。"アイコンＩＤ"に登録されるＩＤは、並び順登録部５３６または設定値登録部５３７が、並び順を示す情報を登録する際に、ユーザにより指定された種類のアイコンに対応付けられたＩＤである。
【００９２】
なお、"登録名"に登録された文字情報及び"アイコンＩＤ"に登録されたＩＤは、表示制御部５２１が、ホーム画面１３１に表示される表示内容（アイコンを表示する際にあわせて表示される文字情報）を決定する際に参照される。
【００９３】
"ユーザＩＤ"には、登録テーブル５９１に新たな登録内容を登録したユーザのユーザＩＤが格納される。
【００９４】
"ホーム画面への表示"には、ホーム画面１３１にアイコンを表示する否かを指定するための情報が登録される。"ホーム画面への表示"に登録される情報は、並び順登録部５３６または設定値登録部５３７が、並び順を示す情報を登録する際に、ユーザにより設定される。
【００９５】
なお、"ユーザＩＤ"に登録されたＩＤ及び"ホーム画面への表示"に登録された情報は、表示制御部５２１が、ホーム画面１３１に表示される表示対象（デフォルトで表示されるアイコン以外に表示すべきアイコン）を決定する際に参照される。
【００９６】
"タイル並び順"には、設定画面１５１に表示されるタイル群１６１の並び順を示す情報が、タイルＩＤの配列として登録される。
【００９７】
"設定値"には、それぞれのタイルに対応する設定項目の設定値が格納される。図８の例では、設定値はいずれもデフォルト値が格納される。つまり、図８は、ユーザＩＤ＝"００３"、"００２"、"００１"により特定されるユーザが、それぞれ、設定値をデフォルト値のままにして、タイルの並び順のみを変更した場合を示している。
【００９８】
なお、"タイル並び順"に登録された情報及び"設定値"に登録された設定値は、コピー画面制御部５３０の表示制御部５３１が、設定画面１５１にタイル群１６１を表示する際に、表示状態と表示内容とを決定するために参照される。
【００９９】
なお、ホーム画面１３１にデフォルトで表示されるアイコン（コピー用のアイコン１４１、スキャン用のアイコン１４２、ファクス用のアイコン１４３、プリンタ用のアイコン１４４）は、登録テーブル群５９０以外のテーブルで管理されているものとする。
【０１００】
＜７．操作端末の各部の処理＞
次に、操作端末１１０の各部（認証部５１０、ホーム画面制御部５２０、コピー画面制御部５３０等）により実行される処理について説明する。
【０１０１】
＜７．１  認証部による認証処理＞
はじめに、認証部５１０により実行される認証処理について説明する。図９は、認証処理の流れを示すフローチャートである。画像形成システム１００が起動した場合、あるいは、画像形成システム１００が省電力モードから通常モードに切り替わる際に、認証部５１０では、図９に示す認証処理を実行する。
【０１０２】
ステップＳ９０１において、認証部５１０は、表示部１１１に、認証情報（ここでは、ユーザ名、ユーザＩＤ）を入力するための認証画面を表示する。
【０１０３】
ステップＳ９０２において、認証部５１０は、ユーザにより入力された認証情報を受け付ける。
【０１０４】
ステップＳ９０３において、認証部５１０は、ユーザにより入力された認証情報に基づいて、認証テーブル５７１を検索し、ユーザにより入力された認証情報に合致する認証情報の有無を判定する。判定の結果、ユーザにより入力された認証情報に合致する認証情報があると判定した場合には、認証成功と判定し、ステップＳ９０５に進む。
【０１０５】
ステップＳ９０５において、認証部５１０は、認証に成功した旨をホーム画面制御部５２０に通知する。また、ユーザにより入力された認証情報をホーム画面制御部５２０に通知する。
【０１０６】
一方、ステップＳ９０３において、ユーザにより入力された認証情報に合致する認証情報がないと判定した場合には、認証エラーと判定し、ステップＳ９０４に進む。ステップＳ９０４において、認証部５１０は表示部１１１に認証エラーを表示する。
【０１０７】
＜７．２  ホーム画面制御部によるホーム画面制御処理＞
次に、ホーム画面制御部５２０によるホーム画面制御処理について説明する。図１０は、ホーム画面制御処理の流れを示すフローチャートである。認証部５１０より、認証に成功した旨の通知を受信した場合、あるいは、コピー画面制御部５３０等より、ホーム画面に戻る指示を受信した場合に、ホーム画面制御部５２０は、図１０に示すホーム画面制御処理を実行する。
【０１０８】
ステップＳ１００１において、ホーム画面制御部５２０の表示制御部５２１は登録テーブル群５９０を参照し、登録テーブル群５９０に登録されている登録内容のうち、"ホーム画面への表示"が"表示有"となっている登録内容を識別する。更に、認証部５１０より通知された認証情報（ユーザＩＤ）に合致する登録内容を識別する。
【０１０９】
ステップＳ１００２において、ホーム画面制御部５２０の表示制御部５２１は、ステップＳ１００１において識別した登録内容に含まれるアイコンＩＤ及び登録名を識別する。また、ホーム画面制御部５２０の表示制御部５２１は、ＩＤテーブル５８１のアイコンＩＤテーブル５８１＿１を参照することで、識別したアイコンＩＤに対応するアイコンを呼び出す。
【０１１０】
ステップＳ１００３において、ホーム画面制御部５２０の表示制御部５２１は、デフォルトで表示すべきアイコンと、ステップＳ１００２において呼び出したアイコン（及び登録名）とを含むホーム画面１３１を表示する。
【０１１１】
ステップＳ１００４において、ホーム画面制御部５２０の画面遷移制御部５２２は、ホーム画面１３１に表示したアイコンのうちのいずれかのアイコンがユーザにより選択されタップ操作されたか否かを判定する。ステップＳ１００４において、いずれかのアイコンがユーザにより選択されタップ操作されたと判定した場合には、ステップＳ１００５に進む。
【０１１２】
ステップＳ１００５において、ホーム画面制御部５２０の画面遷移制御部５２２は、選択されタップ操作されたアイコンに対応する画面制御部を識別する。
【０１１３】
ステップＳ１００５において、ホーム画面制御部５２０の画面遷移制御部５２２は、ステップＳ１００５において識別した画面制御部に、アイコンＩＤ及び認証情報を通知する。
【０１１４】
ステップＳ１００７において、ホーム画面制御部５２０の画面遷移制御部５２２は、ステップＳ１００５において識別した画面制御部に対して、起動指示を通知する。ホーム画面制御部５２０の画面遷移制御部５２２は、識別した画面制御部に対して起動指示を通知すると、ホーム画面制御処理を終了する。
【０１１５】
一方、ステップＳ１００４において、いずれのアイコンも選択されていないと判定した場合には、ステップＳ１００８に進む。ステップＳ１００８において、ホーム画面制御部５２０の画面遷移制御部５２２は、ホーム画面制御処理を終了するか否かを判定し、終了しないと判定した場合には、ステップＳ１００４に戻る。一方、終了すると判定した場合には、ホーム画面制御処理を終了する。
【０１１６】
＜７．３  コピー画面制御部によるコピー画面制御処理＞
次に、ホーム画面制御部５２０より起動指示が通知された画面制御部による画面制御処理の流れについて説明する。なお、以下では、コピー画面制御部５３０によるコピー画面制御処理の流れについて、図１２及び図１３を参照しながら、図１１を用いて説明する。図１１は、コピー画面制御処理の流れを示すフローチャートである。また、図１２は、コピー画面制御処理における画面遷移の一例を示す図であり、図１３は、メニュー画面の一例を示す図である。
【０１１７】
ホーム画面制御部５２０の画面遷移制御部５２２より起動指示が通知されると、コピー画面制御部５３０は、図１１に示すコピー画面制御処理を実行する。
【０１１８】
ステップＳ１１０１において、コピー画面制御部５３０の表示制御部５３１は、登録テーブル５９１を参照し、ホーム画面制御部５２０の画面遷移制御部５２２より通知されたアイコンＩＤに合致するアイコンＩＤを検索する。
【０１１９】
ステップＳ１１０２において、コピー画面制御部５３０の表示制御部５３１は、ステップＳ１１０１において検索されたアイコンＩＤを含む登録内容に基づいて、タイル群１６１を設定画面１５１に表示する。図１２（ａ）は、コピー画面制御部５３０の表示制御部５３１により表示された設定画面１５１の一例を示している。
【０１２０】
ステップＳ１１０３において、コピー画面制御部５３０は、ユーザによる設定画面１５１に対する各種操作を受け付ける。ステップＳ１１０４において、コピー画面制御部５３０の状態変更部５３３は、設定画面１５１のいずれかのタイルが移動されたか否かを判定する。ステップＳ１１０４において、いずれかのタイルが移動されたと判定した場合には、ステップＳ１１０５に進む。
【０１２１】
ステップＳ１１０５において、コピー画面制御部５３０の状態変更部５３３は、タイルの移動量及び移動方向を判定する。また、ステップＳ１１０６において、コピー画面制御部５３０の状態変更部５３３は、タイルの移動に伴ってタイルの並び順を変更する。更に、ステップＳ１１０７において、コピー画面制御部５３０の状態変更部５３３は、変更後の並び順に基づいてタイルを表示する。その後、ステップＳ１１１３に進む。
【０１２２】
図１２（ｂ）は、コピー画面制御部５３０の状態変更部５３３により、タイル１２０１〜１２０９が移動された後の設定画面１５１ａを示している。図１２（ｂ）に示すように、タイルを移動することでタイルの並び順を変更する変更操作が行われると、変更後の並び順に基づいて各タイルが表示される。
【０１２３】
一方、ステップＳ１１０４において、いずれのタイルも移動されていないと判定した場合には、ステップＳ１１０８に進む。ステップＳ１１０８において、コピー画面制御部５３０の画面遷移制御部５３２は、タイル群１６１のうちのいずれかのタイルが選択されタップ操作されたか否かを判定する。
【０１２４】
ステップＳ１１０８において、いずれかのタイルが選択されタップ操作されたと判定した場合には、ステップＳ１１０９に進む。ステップＳ１１０９において、コピー画面制御部５３０の画面遷移制御部５３２は、詳細設定画面を表示する。図１２（ｃ）は、設定画面１５１において、"変倍"タイル１２０２が選択されタップ操作されたことで表示された変倍設定用の詳細設定画面１２１０を示している。
【０１２５】
ステップＳ１１１０において、コピー画面制御部５３０の設定値入力部５３４は、ユーザによる詳細設定画面１２１０に対する設定操作を受け付ける。ステップＳ１１１１において、コピー画面制御部５３０の画面遷移制御部５３２は、詳細設定画面１２１０において戻る指示を受け付けたか否かを判定する。ステップＳ１１１１において、戻る指示を受け付けていないと判定した場合には、ステップＳ１１１０に戻る。
【０１２６】
一方、ステップＳ１１１１において戻る指示を受け付けたと判定した場合には、ステップＳ１１１２に進む。ステップＳ１１１２において、コピー画面制御部５３０の画面遷移制御部５３２は設定画面を表示する。その後、ステップＳ１１１３に進む。
【０１２７】
図１２（ｄ）は、詳細設定画面１２１０において、設定欄群１２２０のうち、変倍＝"５０％"の設定欄１２２０＿１において設定操作を受け付けた後に、戻るボタン１２１１が押圧され、設定画面１５１ｂが表示された様子を示している。
【０１２８】
図１２（ｄ）に示すように、詳細設定画面１２１０により設定操作が行われることで、"変倍"タイル１２０２の表示内容が変更されている。
【０１２９】
一方、ステップＳ１１０８において、いずれのタイルも選択されていないと判定した場合には、ステップＳ１１１３に進む。
【０１３０】
ステップＳ１１１３において、コピー画面制御部５３０は、メニュー画面の表示指示を受け付けたか否かを判定する。例えば、図１２（ｂ）の設定画面１５１ａにおいて"ＭＥＮＵ"ボタン１２２２が押圧された場合には、メニュー画面の表示指示を受け付けたと判定する。
【０１３１】
図１３は、設定画面１５１ａにおいて"ＭＥＮＵ"ボタン１２２２が選択されたことで表示されたメニュー画面を示している。図１３に示すように、"ＭＥＮＵ"ボタン１２２２が押圧されると、並び順登録機能４１１、設定値登録機能４１２、修正機能４１３、呼び出し機能４１４のいずれかの機能を実現させるためのメニュー１３００が表示される。なお、メニュー１３００に示す各機能を実現させるためのメニュー処理については図１４を用いて後述する。
【０１３２】
ステップＳ１１１３において、メニュー画面の表示指示を受け付けていないと判定した場合には、ステップＳ１１１４に進む。ステップＳ１１１４において、コピー画面制御部５３０の画面遷移制御部５３２は、ホーム画面１３１に戻る指示を受け付けたか否かを判定する。ステップＳ１１１４において、ホーム画面１３１に戻る指示を受け付けていないと判定した場合には、ステップＳ１１０３に戻る。
【０１３３】
一方、ステップＳ１１１４において、ホーム画面１３１に戻る指示を受け付けたと判定した場合には、ステップＳ１１１５に進む。例えば、図１２（ｂ）の設定画面１５１ａにおいて"ＨＯＭＥ"ボタン１２２１が押圧された場合には、ホーム画面に戻る指示を受け付けたと判定する。
【０１３４】
ステップＳ１１１５において、コピー画面制御部５３０の画面遷移制御部５３２は、ホーム画面１３１に戻る指示を、ホーム画面制御部５２０の画面遷移制御部５２２に通知する。これにより、ホーム画面制御部５２０が、ホーム画面制御処理（図１０）を再び実行する。一方、コピー画面制御部５３０はコピー画面制御処理を終了させる。
【０１３５】
＜７．４  コピー画面制御部によるメニュー処理＞
次に、コピー画面制御部５３０によるメニュー処理について説明する。図１４は、メニュー処理の流れを示すフローチャートである。例えば、図１２（ｂ）の設定画面１５１ａにおいて"ＭＥＮＵ"ボタン１２２２が押圧されることで、図１４に示すメニュー処理が実行される。
【０１３６】
ステップＳ１４０１において、コピー画面制御部５３０の並び順登録部５３６は"並び順登録処理"ボタン１３０１（図１３）が押圧されたか否かを判定する。ステップＳ１４０１において、"並び順登録処理"ボタン１３０１が押圧されたと判定した場合には、ステップＳ１４０２に進む。
【０１３７】
ステップＳ１４０２において、コピー画面制御部５３０の並び順登録部５３６が並び順登録処理を実行する。なお、並び順登録処理の詳細は、図１５〜図１７を用いて後述する。ステップＳ１４０２において、並び順登録処理が実行されると、図１１のステップＳ１１１４に戻る。
【０１３８】
一方、ステップＳ１４０１において、"並び順登録処理"ボタン１３０１が押圧されなかったと判定した場合には、ステップＳ１４０３に進む。ステップＳ１４０３において、コピー画面制御部５３０の設定値登録部５３７は、"設定値登録処理"ボタン１３０２（図１３）が押圧されたか否かを判定する。
【０１３９】
ステップＳ１４０３において、"設定値登録処理"ボタン１３０２が押圧されたと判定した場合には、ステップＳ１４０４に進む。ステップＳ１４０４において、コピー画面制御部５３０の設定値登録部５３７は設定値登録処理を実行する。なお、設定値登録処理の詳細は、図１８〜図２０を用いて後述する。ステップＳ１４０４において、設定値登録処理が実行されると、図１１のステップＳ１１１４に戻る。
【０１４０】
一方、ステップＳ１４０３において、"設定値登録処理"ボタン１３０２が押圧されなかったと判定した場合には、ステップＳ１４０５に進む。ステップＳ１４０５において、コピー画面制御部５３０の修正部５３８は、"登録内容修正処理"ボタン１３０３（図１３）が押圧されたか否かを判定する。
【０１４１】
ステップＳ１４０５において、"設定値登録処理"ボタン１３０２が押圧されたと判定した場合には、ステップＳ１４０６に進む。ステップＳ１４０６において、コピー画面制御部５３０の修正部５３８は登録内容修正処理を実行する。なお、登録内容修正処理の詳細は、図２１、図２２を用いて後述する。ステップＳ１４０６において、登録内容修正処理が実行されると、図１１のステップＳ１１１４に戻る。
【０１４２】
一方、ステップＳ１４０５において、"登録内容修正処理"ボタン１３０３が押圧されなかったと判定した場合には、ステップＳ１４０７に進む。ステップＳ１４０７において、コピー画面制御部５３０の呼び出し部５３９は、"呼び出し処理"ボタン１３０４（図１３）が押圧されたか否かを判定する。
【０１４３】
ステップＳ１４０７において、"呼び出し処理"ボタン１３０４が押圧されたと判定した場合には、ステップＳ１４０８に進む。ステップＳ１４０８において、コピー画面制御部５３０の呼び出し部５３９は呼び出し処理を実行する。なお、呼び出し処理の詳細は、図２３、図２４を用いて後述する。ステップＳ１４０８において、呼び出し処理が実行されると、図１１のステップＳ１１１４に戻る。
【０１４４】
一方、ステップＳ１４０７において、"呼び出し処理"ボタン１３０４が押圧されなかったと判定した場合には、図１１のステップＳ１１１４に戻る。
【０１４５】
＜７．５  メニュー処理の詳細＞
次に、メニュー処理の詳細（並び順登録処理（ステップＳ１４０２）、設定値登録処理（ステップＳ１４０４）、登録内容修正処理（ステップＳ１４０６）、呼び出し処理（ステップＳ１４０８））について説明する。
【０１４６】
（１）並び順登録処理（ステップＳ１４０２）の詳細
はじめに並び順登録処理（ステップＳ１４０２）の詳細について、図１５〜図１７を用いて説明する。図１５は、並び順登録処理の流れを示すフローチャートである。また、図１６は、並び順登録処理における画面遷移の一例を示す図である。更に、図１７は、並び順登録処理後のホーム画面の一例を示す図である。
【０１４７】
図１４のステップＳ１４０１において、"並び順登録処理"ボタン１３０１が押圧されることで図１５に示す処理が実行される。ステップＳ１５０１において、コピー画面制御部５３０の並び順登録部５３６は、現在、設定画面に表示されているタイルの並び順を保持する。コピー画面制御部５３０の並び順登録部５３６は、例えば、図１２（ｂ）の設定画面１５１ａに表示されているタイルの並び順を保持する。なお、タイルの並び順は、タイルＩＤの並び順として保持されるものとする。
【０１４８】
ステップＳ１５０２において、コピー画面制御部５３０の並び順登録部５３６は、並び順登録ウィンドウを設定画面に重ねて表示する。図１６（ａ）は、設定画面１５１ａに重ねて並び順登録ウィンドウ１６１０が表示された様子を示している。図１６（ａ）に示すように、並び順登録ウィンドウ１６１０には、登録名を入力する欄１６１１と、アイコンの種類を指定する欄１６１２とが含まれる。また、並び順登録ウィンドウ１６１０には、"ＯＫ"ボタン１６１３と"キャンセル"ボタン１６１４とが含まれる。
【０１４９】
ステップＳ１５０３において、コピー画面制御部５３０の並び順登録部５３６は、ユーザによる登録名の入力を受け付ける。図１６（ａ）の例は、登録名として"ユーザＡ用"が入力された様子を示している。
【０１５０】
ステップＳ１５０４において、コピー画面制御部５３０の並び順登録部５３６は、ユーザによるアイコンの種類の指定を受け付ける。図１６（ａ）の例は、アイコンＩＤ＝"０１"に対応するアイコンが指定された様子を示している。
【０１５１】
ステップＳ１５０５において、コピー画面制御部５３０の並び順登録部５３６は、並び順登録ウィンドウ１６１０において、"ＯＫ"ボタン１６１３または"キャンセル"ボタン１６１４が押圧されたか否かを判定する。
【０１５２】
ステップＳ１５０５において、"ＯＫ"ボタン１６１３が押圧された場合には、登録指示が入力されたと判断し、ステップＳ１５０６に進む。ステップＳ１５０６において、コピー画面制御部５３０の並び順登録部５３６は、登録テーブル５９１に登録する際の登録ＩＤを決定する。また、コピー画面制御部５３０の並び順登録部５３６は、アイコンＩＤテーブル５８１＿１を参照することで、ステップＳ１５０４において指定された種類のアイコンに対応するアイコンＩＤを取得する。
【０１５３】
ステップＳ１５０７において、コピー画面制御部５３０の並び順登録部５３６は、並び順登録ウィンドウ１６１０を閉じ、表示選択ウィンドウを設定画面に重ねて表示する。図１６（ｂ）は、設定画面１５１ａに重ねて表示選択ウィンドウ１６２０を表示した様子を示している。図１６（ｂ）に示すように、表示選択ウィンドウ１６２０には、登録内容に含まれるアイコンを、ホーム画面１３１に表示するか否かを指定するための"はい"ボタン１６２１と"いいえ"ボタン１６２２とが含まれる。
【０１５４】
ステップＳ１５０８において、コピー画面制御部５３０の並び順登録部５３６は、表示選択ウィンドウ１６２０におけるユーザの指定を受け付ける。ユーザにより"はい"ボタン１６２１が押圧された場合、コピー画面制御部５３０の並び順登録部５３６は、ホーム画面にアイコンを表示すると判定し、ステップＳ１５０９に進む。
【０１５５】
ステップＳ１５０９において、コピー画面制御部５３０の並び順登録部５３６は、ステップＳ１５０１において保持したタイルの並び順を示す情報を、アイコンをホーム画面に表示することを指定した情報（表示有）と対応付けて、登録テーブル５９１に登録する。
【０１５６】
一方、ユーザにより"いいえ"ボタン１６２２が押圧された場合、コピー画面制御部５３０の並び順登録部５３６は、ホーム画面にアイコンを表示しないと判定し、ステップＳ１５１０に進む。
【０１５７】
ステップＳ１５１０において、コピー画面制御部５３０の並び順登録部５３６は、ステップＳ１５０１において保持したタイルの並び順を示す情報を、アイコンをホーム画面に表示しないことを指定した情報（表示なし）と対応付けて、登録テーブル５９１に登録する。これにより、ホーム画面にアイコンが表示されることを希望していないユーザのニーズに対応することができる。
【０１５８】
なお、コピー画面制御部５３０の並び順登録部５３６は、ステップＳ１５０９及びステップＳ１５１０においてタイルの並び順を示す情報を登録するにあたり、以下の情報を、当該並び順を示す情報に対応付けて登録テーブル５９１に登録する。
・ステップＳ１５０３において入力された登録名
・ステップＳ１５０６において取得した登録ＩＤ
・ステップＳ１５０６において取得したアイコンＩＤ
・ステップＳ１５０７において指定されたホーム画面への表示有無
・図９の認証処理において受け付けたユーザ名
なお、コピー画面制御部５３０の並び順登録部５３６がタイルの並び順を示す情報を登録テーブル５９１に登録する場合、"設定値"には、デフォルト値がコピーされて登録されるものとする。
【０１５９】
ステップＳ１５０９またはステップＳ１５１０において、登録テーブル５９１への登録が完了すると、表示選択ウィンドウ１６２０が閉じられ、図１１のステップＳ１１１４に戻る。
【０１６０】
図１６（ｃ）は、表示選択ウィンドウ１６２０が閉じられ、再び設定画面１５１ａが表示された様子を示している。更に、図１７は、図１６（ｃ）の設定画面１５１ａにおいて"ＨＯＭＥ"ボタン１２２１が押圧されることで、ホーム画面が表示された様子を示している。
【０１６１】
図１７に示すように、ホーム画面１３１ａには、登録名＝"ユーザＡ用"のアイコン１７０１（アイコンＩＤ＝"０１"）が新たに表示されることになる。これにより、ユーザは、アイコン１７０１を選択しタップ操作するだけで、タイルの並び順が変更された後の設定画面１５１ａを表示させることができる。この結果、ユーザは、"集約"、"ステーブル"、"部数"等の設定項目の設定値を変更しながらコピー機能を利用する場合に、設定画面１５１ａをスクロールすることなく、当該設定項目に対応するタイルを選択することができる。つまり、当該設定項目の設定値を容易に変更することができる。
【０１６２】
（２）設定値登録処理（ステップＳ１４０４）の詳細
次に、設定値登録処理（ステップＳ１４０４）の詳細について、図１８〜図２０を用いて説明する。図１８は、設定値登録処理の流れを示すフローチャートである。また、図１９は、設定値登録処理における画面遷移の一例を示す図である。更に、図２０は、設定値登録処理後のホーム画面の一例を示す図である。
【０１６３】
図１４のステップＳ１４０３において、"設定値登録処理"ボタン１３０２が押圧されることで図１８に示す設定値登録処理が実行される。ステップＳ１８０１において、コピー画面制御部５３０の設定値登録部５３７は、現在、詳細設定画面にて設定されている設定値を保持する。
【０１６４】
ステップＳ１８０２において、コピー画面制御部５３０の設定値登録部５３７は、設定値登録ウィンドウを設定画面に重ねて表示する。図１９（ａ）は、設定画面１５１ａに重ねて設定値登録ウィンドウ１９１０が表示された様子を示している。図１９（ａ）に示すように、設定値登録ウィンドウ１９１０には、登録名を入力する欄１９１１と、アイコンの種類を指定する欄１９１２とが含まれる。また、設定値登録ウィンドウ１９１０には、"ＯＫ"ボタン１９１３と"キャンセル"ボタン１９１４とが含まれる。
【０１６５】
ステップＳ１８０３において、コピー画面制御部５３０の設定値登録部５３７は、ユーザによる登録名の入力を受け付ける。図１９（ａ）の例は、登録名として"集約４・ステープル・部数５"が入力された様子を示している。
【０１６６】
ステップＳ１８０４において、コピー画面制御部５３０の設定値登録部５３７は、ユーザによるアイコンの種類の指定を受け付ける。図１９（ａ）の例は、アイコンＩＤ＝"０１"に対応するアイコンが指定された様子を示している。
【０１６７】
ステップＳ１８０５において、コピー画面制御部５３０の設定値登録部５３７は、タイルの並び順の登録方法の設定を受け付ける。図１９（ａ）に示すように、設定値登録ウィンドウ１９１０には、タイルの並び順の登録方法として、"自動でタイルの並び順を変更する"（１９１５）場合と、"現在のタイルの並び順で登録する"（１９１６）場合とが選択可能に表示される。
【０１６８】
"自動でタイルの並び順を変更する"場合とは、詳細設定画面１２１０等において設定値を変更した設定項目に対応するタイルが、優先して設定画面１５１の上方に配置されるように並び順を変更して登録する場合である。一方、"現在のタイルの並び順で登録する"場合とは、現在、設定画面１５１ａに表示されているタイルの並び順で登録する場合である。
【０１６９】
ステップＳ１８０６において、コピー画面制御部５３０の設定値登録部５３７は、設定値登録ウィンドウ１９１０において、"ＯＫ"ボタン１９１３または"キャンセル"ボタン１９１４が押圧されたか否かを判定する。
【０１７０】
ステップＳ１８０６において、"ＯＫ"ボタン１９１３が押圧された場合には、登録指示が入力されたと判断し、ステップＳ１８０７に進む。ステップＳ１８０７において、コピー画面制御部５３０の設定値登録部５３７は、登録テーブル５９１に登録する際の登録ＩＤを決定する。また、コピー画面制御部５３０の設定値登録部５３７は、アイコンＩＤテーブル５８１＿１を参照することで、ステップＳ１８０４において指定された種類のアイコンに対応するアイコンＩＤを取得する。
【０１７１】
ステップＳ１８０８において、コピー画面制御部５３０の設定値登録部５３７は、ステップＳ１８０５において設定されたタイル並び順の登録方法に基づいて、タイルＩＤの並び順を決定する。ステップＳ１８０５において、"自動でタイルの並び順を変更する"が設定されていた場合には、詳細設定画面において設定値を変更した設定項目に対応するタイルが、優先して設定画面の上方に配置されるように、タイルＩＤの並び順を決定する。一方、ステップＳ１８０５において、"現在のタイルの並び順で登録する"が設定されていた場合には、現在、設定画面に表示されているタイルの並び順に従って、タイルＩＤの並び順を決定する。
【０１７２】
ステップＳ１８０９において、コピー画面制御部５３０の設定値登録部５３７は、設定値登録ウィンドウ１９１０を閉じ、表示選択ウィンドウを設定画面に重ねて表示する。図１９（ｂ）は、設定画面１５１ａに重ねて表示選択ウィンドウ１９２０を表示した様子を示している。図１９（ｂ）に示すように、表示選択ウィンドウ１９２０には、登録内容に含まれるアイコンを、ホーム画面１３１に表示するか否かを指定するための"はい"ボタン１９２１と"いいえ"ボタン１９２２とが含まれる。
【０１７３】
ステップＳ１８１０において、コピー画面制御部５３０の設定値登録部５３７は、表示選択ウィンドウ１９２０におけるユーザの指定を受け付ける。ユーザにより"はい"ボタン１９２１が押圧された場合、コピー画面制御部５３０の設定値登録部５３７は、ホーム画面１３１にアイコンを表示すると判定し、ステップＳ１８１１に進む。
【０１７４】
ステップＳ１８１１において、コピー画面制御部５３０の設定値登録部５３７は、ステップＳ１８０１において保持した設定値を、アイコンをホーム画面に表示することを指定した情報（表示有り）と対応付けて、登録テーブル５９１に登録する。
【０１７５】
一方、ユーザにより"いいえ"ボタン１９２２が押圧された場合、コピー画面制御部５３０の設定値登録部５３７は、ホーム画面１３１にアイコンを表示しないと判定し、ステップＳ１８１２に進む。
【０１７６】
ステップＳ１８１２において、コピー画面制御部５３０の設定値登録部５３７は、ステップＳ１８０１において保持した設定値を、アイコンをホーム画面に表示しないことを指定した情報（表示なし）と対応付けて、登録テーブル５９１に登録する。
【０１７７】
なお、コピー画面制御部５３０の設定値登録部５３７は、ステップＳ１８１１及びステップＳ１８１２において設定値を登録するにあたり、以下の情報を、設定値に対応付けて登録テーブル５９１に登録する。
・ステップＳ１８０３において入力された登録名
・ステップＳ１８０７において取得した登録ＩＤ
・ステップＳ１８０７において取得したアイコンＩＤ
・ステップＳ１８０８において決定された並び順を示す情報
・ステップＳ１８１０において指定されたホーム画面への表示有無
・図９の認証処理において受け付けたユーザ名
ステップＳ１８１１またはステップＳ１８１２において、登録テーブル５９１への登録が完了すると、表示選択ウィンドウ１９２０が閉じられ、図１１のステップＳ１１１４に戻る。
【０１７８】
図１９（ｃ）は、表示選択ウィンドウ１９２０が閉じられ、再び設定画面１５１ａが表示された様子を示している。また、図２０は、設定画面１５１ａの"ＨＯＭＥ"ボタン１２２１が押圧されることで、ホーム画面が表示された様子を示している。
【０１７９】
図２０に示すように、ホーム画面１３１ｂには、登録名＝"集約４・ステーブル・部数５"のアイコン２００１（アイコンＩＤ＝"０１"）が新たに表示されることなる。これにより、ユーザは、アイコン２００１を選択しタップ操作するだけで、タイルの並び順が変更され、かつ、設定値が変更された後の設定画面１５１ａを表示させることができる。この結果、ユーザは、"集約"、"ステーブル"、"部数"等の設定項目の設定値を変更しながらコピー機能を利用する場合に、設定画面１５１ａをスクロールすることなく、当該設定項目に対応するタイルを選択することが可能となる。つまり、当該設定項目の設定値を容易に変更することができる。加えて、"集約"、"ステーブル"、"部数"等の設定項目には、はじめから使用頻度の高い設定値が設定されているため、設定値を変更する回数を減らすこともできる。
【０１８０】
（３）登録内容修正処理（ステップＳ１４０６）の詳細
次に、登録内容修正処理（ステップＳ１４０６）の詳細について、図２１、図２２を用いて説明する。図２１は、登録内容修正処理の流れを示すフローチャートである。また、図２２は、登録内容修正処理における画面遷移の一例を示す図である。
【０１８１】
図１４のステップＳ１４０５において、"登録内容修正処理"ボタン１３０３が押圧されることで図２１に示す登録内容修正処理が実行される。ステップＳ２１０１において、コピー画面制御部５３０の修正部５３８は、登録テーブル５９１に登録された第２の登録内容を呼び出し、該第２の登録内容を含む選択肢を登録内容修正ウィンドウに表示する。図２２（ａ）は、登録内容修正ウィンドウ２２１０が表示された様子を示している。図２２（ａ）に示すように、登録内容修正ウィンドウ２２１０には、登録テーブル５９１の第２の登録内容（登録ＩＤ、アイコン、登録名）を含む選択肢２２１１〜２２１３が表示される。また、登録内容修正ウィンドウ２２１０には、"ＯＫ"ボタン２２１４と"キャンセル"ボタン２２１５とが含まれる。
【０１８２】
ステップＳ２１０２において、コピー画面制御部５３０の修正部５３８は、いずれかの選択肢が選択されたか否かを判定する。ステップＳ２１０２において、いずれの選択肢も選択されずに、"キャンセル"ボタン２２１５が押圧された場合には、登録内容修正ウィンドウ２２１０を閉じ、図１４のステップＳ１１１４に戻る。
【０１８３】
一方、ステップＳ２１０２において、いずれかの選択肢が選択され、"ＯＫ"ボタン２２１４が押圧されたと判定された場合には、ステップＳ２１０３に進む。ステップＳ２１０３において、コピー画面制御部５３０の修正部５３８は、登録内容修正ウィンドウ２２１０に、ステップＳ２１０２において選択された選択肢（図２２の例では、選択肢２２１１）を拡大表示する。更に、コピー画面制御部５３０の修正部５３８は、登録内容修正ウィンドウ２２１０に、"修正する"ボタン２２１６と"削除する"ボタン２２１７と"キャンセル"ボタン２２１５とを表示する。ここで、ユーザは選択肢に表示されたアイコンまたは登録名を必要に応じて修正する。
【０１８４】
ステップＳ２１０４において、コピー画面制御部５３０の修正部５３８は、"修正する"ボタン２２１６が押圧されたか否かを判定する。ステップＳ２１０４において、"修正する"ボタン２２１６が押圧されたと判定した場合には、ステップＳ２１０５に進む。
【０１８５】
ステップＳ２１０５において、コピー画面制御部５３０の修正部５３８は、修正されたアイコンのアイコンＩＤと登録名とを登録テーブル５９１に上書きして登録する。その後、登録内容修正ウィンドウ２２１０を閉じ（図２２（ｃ）参照）、図１４のステップＳ１１１４に戻る。
【０１８６】
これにより、ユーザは、例えば、第１の登録内容（タイルの並び順や設定値）はそのままで、登録名やアイコンのみを修正することができる。
【０１８７】
一方、ステップＳ２１０４において、"修正する"ボタン２２１６が押圧されなかったと判定した場合には、ステップＳ２１０６に進む。ステップＳ２１０６において、コピー画面制御部５３０の修正部５３８は、"削除する"ボタン２２１７が押圧されたか否かを判定する。
【０１８８】
ステップＳ２１０６において、"削除する"ボタン２２１７が押圧されたと判定した場合には、ステップＳ２１０７に進む。ステップＳ２１０７において、コピー画面制御部５３０の修正部５３８は、登録内容修正ウィンドウ２２１０を閉じるとともに（図２２（ｃ）参照）、ステップＳ２１０２において選択された選択肢に対応する登録内容を、登録テーブル５９１から削除する。その後、図１４のステップＳ１１１４に戻る。
【０１８９】
これにより、ユーザは、登録テーブル５９１に登録された登録内容のうち、選択した登録内容を削除することができる。
【０１９０】
一方、ステップＳ２１０６において、"削除する"ボタン２２１７が押圧されなかったと判定された場合には、ステップＳ２１０８に進む。ステップＳ２１０８において、コピー画面制御部５３０の修正部５３８は、"キャンセル"ボタン２２１５が押圧されたか否かを判定する。ステップＳ２１０８において、"キャンセル"ボタン２２１５が押圧されなかったと判定した場合には、ステップＳ２１０４に戻る。
【０１９１】
一方、ステップＳ２１０８において、"キャンセル"ボタン２２１５が押圧されたと判定された場合には、登録内容修正ウィンドウ２２１０を閉じるとともに（図２２（ｃ）参照）、図１４のステップＳ１１１４に戻る。
【０１９２】
（４）呼び出し処理（ステップＳ１４０８）の詳細
次に、呼び出し処理（ステップＳ１４０８）の詳細について、図２３、図２４を用いて説明する。図２３は、呼び出し処理の流れを示すフローチャートである。また、図２４は、呼び出し処理における画面遷移の一例を示す図である。
【０１９３】
図１４のステップＳ１４０７において、"呼び出し処理"ボタン１３０４が押圧されることで図２３に示す呼び出し処理が実行される。ステップＳ２３０１において、コピー画面制御部５３０の呼び出し部５３９は、登録テーブル５９１の第２の登録内容を呼び出し、該第２の登録内容を含む選択肢を登録呼び出しウィンドウに表示する。図２４（ａ）は、登録呼び出しウィンドウ２４１０が表示された様子を示している。図２４（ａ）に示すように、登録呼び出しウィンドウ２４１０には、登録テーブル５９１の第２の登録内容（登録ＩＤ、アイコン、登録名）を含む選択肢２４１１〜２４１３が表示される。また、登録呼び出しウィンドウ２４１０には、"ＯＫ"ボタン２４１４と"キャンセル"ボタン２４１５とが含まれる。
【０１９４】
ステップＳ２３０２において、コピー画面制御部５３０の呼び出し部５３９は、いずれかの選択肢が選択されたか否かを判定する。ステップＳ２３０２において、いずれの選択肢も選択されずに、"キャンセル"ボタン２４１５が押圧された場合には、登録呼び出しウィンドウ２４１０を閉じ、図１４のステップＳ１１１４に戻る。
【０１９５】
一方、ステップＳ２３０２において、いずれかの選択肢が選択され、"ＯＫ"ボタン２４１４が押圧されたと判定した場合には、ステップＳ２３０３に進む。ステップＳ２３０３において、コピー画面制御部５３０の呼び出し部５３９は、登録呼び出しウィンドウ２４１０を閉じる。更に、コピー画面制御部５３０の呼び出し部５３９は、ステップＳ２３０２において選択された選択肢に対応する登録内容を呼び出し、当該登録内容に基づいてタイル群１６１を設定画面１５１ａに表示する。その後、図１４のステップＳ１１１４に戻る。
【０１９６】
これにより、ユーザは、ホーム画面１３１にアイコンを表示しない場合であっても、呼び出し機能を用いて所定の登録内容を呼び出し、呼び出した登録内容に基づいて、タイル群１６１を設定画面１５１に表示することができる。
【０１９７】
＜８．まとめ＞
以上の説明から明らかなように、本実施形態に係る画像形成システム１００では、
・アプリケーションを実行する際に用いる設定値を入力する詳細設定画面を呼び出すための設定画面において、タイルの並び順を任意に変更できる構成とした。
・変更したタイルの並び順を、アイコンと対応付けて登録テーブルに登録する構成とした。
・ホーム画面において、ユーザがアイコンを選択しタップ操作することで、選択したアイコンに対応付けて登録されたタイルの並び順でタイル群１６１を設定画面に表示する構成とした。
・呼び出し機能を介して呼び出したタイルの並び順で、タイル群１６１を設定画面に表示する構成とした。
【０１９８】
これにより、ユーザは、設定値を変更する変更頻度の高い設定項目に対応するタイルを、設定画面の上方に配置させることが可能となる。この結果、ユーザは、変更頻度の高い設定項目に対応するタイルを、設定画面上でスクロールすることなく、選択することが可能となる。つまり、本実施形態に係る画像形成システム１００によれば、設定値の変更が容易なユーザインタフェースを提供することができる。
【０１９９】
［第２の実施形態］
上記第１の実施形態では、設定画面においてタイルの並び順を変更する場合について説明した。しかしながら、設定画面において変更可能な表示状態は、タイルの並び順に限定されない。例えば、タイルの色、形、大きさ等を変更できる構成にするとともに、変更したタイルの色、形状、大きさ等を登録テーブル５９１に登録する構成にしてもよい。なお、この場合も、変更した表示状態をアイコンと対応付けて登録し、ホーム画面に選択可能に表示する構成にするものとする。
【０２００】
また、上記第１の実施形態では、設定画面におけるタイルの表示状態を変更する場合について説明した。しかしながら、表示状態を変更可能な操作オブジェクトは、設定画面のタイルに限定されない。例えば、詳細設定画面１２１０の設定欄群１２２０の設定欄の並び順を変更できる構成にするとともに、変更した並び順を登録テーブル５９１に登録する構成にしてもよい（つまり、設定欄は操作オブジェクトの一例となりうる）。
【０２０１】
また、上記第１の実施形態において、コピー画面制御部５３０は、登録内容修正処理及び呼び出し処理において、登録テーブル５９１に登録された第２の登録内容を呼び出すものとして説明した。しかしながら、コピー画面制御部５３０は、登録テーブル５９１に登録された第２の登録内容であって、操作中のユーザ（現在認証成功しているユーザ）により登録された第２の登録内容を呼び出すように構成してもよい。
【０２０２】
これにより、他のユーザにより登録された登録内容に基づいてタイル群１６１が設定画面１５１に表示されることを回避することができる。
【０２０３】
また、上記第１の実施形態では、画像形成システム１００において、画像形成装置本体１２０に対して着脱可能な操作端末１１０にＵＩ制御プログラムをインストールし、操作端末１１０をＵＩ制御部５００として機能させる構成とした。しかしながら、ＵＩ制御プログラムを画像形成装置本体１２０にインストールし、画像形成装置本体１２０をＵＩ制御部５００として機能させる構成としてもよい。この場合、操作端末１１０は、画像形成装置本体１２０による制御のもとで各種画面（認証画面、ホーム画面、設定画面、詳細設定画面等）を表示したり、ユーザにより入力された指示を画像形成装置本体１２０に通知する表示端末として機能する。表示端末として機能する操作端末１１０は、設定画面において変更操作を受け付ける受付手段と、変更後のタイルの並び順を登録するための登録指示を入力する入力手段と、登録内容に応じてタイル群１６１を表示する表示手段とを有することで実現される。
【０２０４】
また、上記第１の実施形態では、画像形成システム１００において、ＵＩ制御部５００の機能を実現する場合について説明した。しかしながら、ＵＩ制御部５００を実現する対象は、画像形成システム１００に限定されない。例えば、操作パネルが本体に固定された画像形成装置において、ＵＩ制御部５００の機能を実現してもよい。
【０２０５】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２０６】
１００            ：画像形成システム
１１０            ：操作端末
１１１            ：表示部
１２０            ：画像形成装置本体
１３１            ：ホーム画面
１５１〜１５４    ：設定画面
４０１            ：認証機能
４１１            ：並び順登録機能
４１２            ：設定値登録機能
４１３            ：修正機能
４１４            ：呼び出し機能
４１０            ：登録情報
５００            ：ＵＩ制御部
５１０            ：認証部
５２０            ：ホーム画面制御部
５３０            ：コピー画面制御部
５３１            ：表示制御部
５３２            ：画面遷移制御部
５３３            ：状態変更部
５３４            ：設定値入力部
５３５            ：実行指示部
５３６            ：並び順登録部
５３７            ：設定値登録部
５３８            ：修正部
５３９            ：呼び出し部
５４０            ：スキャン画面制御部
５５０            ：ファクス画面制御部
５６０            ：プリンタ画面制御部
５７０            ：認証情報登録部
５７１            ：認証テーブル
５８０            ：画面情報登録部
５８１            ：ＩＤテーブル
５９０            ：登録テーブル群
５９１            ：登録テーブル（コピー用）
【先行技術文献】
【特許文献】
【０２０７】
【特許文献１】特開２０１０−１１４８２５号公報
【図１】
2017085268.tif 000003
【図２】
2017085268.tif 000004
【図３】
2017085268.tif 000005
【図４】
2017085268.tif 000006
【図５】
2017085268.tif 000007
【図６】
2017085268.tif 000008
【図７】
2017085268.tif 000009
【図８】
2017085268.tif 000010
【図９】
2017085268.tif 000011
【図１０】
2017085268.tif 000012
【図１１】
2017085268.tif 000013
【図１２】
2017085268.tif 000014
【図１３】
2017085268.tif 000015
【図１４】
2017085268.tif 000016
【図１５】
2017085268.tif 000017
【図１６】
2017085268.tif 000018
【図１７】
2017085268.tif 000019
【図１８】
2017085268.tif 000020
【図１９】
2017085268.tif 000021
【図２０】
2017085268.tif 000022
【図２１】
2017085268.tif 000023
【図２２】
2017085268.tif 000024
【図２３】
2017085268.tif 000025
【図２４】
2017085268.tif 000026